(57)【要約】【課題】遊技球発射装置の構成部品にばらつき等があっても均一な球飛びを実現し得る発射角度調整機構を提供する。【解決手段】遊技盤の下方に位置する前枠の下部領域に、発射レール２３から案内レール３３に向けて移動する遊技球をガイドする補助レール部１１３が設けられたガイド部材１１０と、ガイド部材１１０を傾動自在に支持する支持部材と、支持部材に支持されたガイド部材１１０を、予め設定された複数の傾動角度位置のいずれかの角度位置に係止保持することにより、発射レール２３の延びる方向に対する補助レール部１１３の傾き角を段階的に調整設定可能に構成した傾角設定構造１３０とを設け、傾角設定構造１３０により補助レール部の傾き角を設定することで、遊技球発射装置から案内レール３３に発射される遊技球の発射角度を複数段階に調整可能に発射角度調整機構１００を構成する。【選択図】  図２
2005021285.tif 000002
【特許請求の範囲】
【請求項１】
前面に遊技領域が設けられた遊技盤と、前記遊技盤を収容保持する遊技盤収容部を備えた前枠と、前記遊技盤収容部の下方に位置する前記前枠の下部領域に設けられ遊技球を打ち出す発射機構および打ち出された遊技球を上方の前記遊技盤に向けて導く発射レールを備えた遊技球発射装置と、前記遊技盤に設けられ前記遊技球発射装置から発射された遊技球を受けて前記遊技領域に案内する案内レールとを備えた弾球遊技機において、
前記前枠の下部領域に、
前記発射レールと前記案内レールとの間に配設され前記発射レールから前記案内レールに向けて移動する遊技球をガイドする補助レール部が設けられたガイド部材と、
前記ガイド部材を傾動自在に支持する支持部材と、
前記支持部材に支持された前記ガイド部材を、選択可能な傾動角度位置として予め設定された複数の傾動角度位置のいずれかの角度位置に係止保持することにより、前記発射レールの延びる方向に対する前記補助レール部の傾き角を段階的に調整設定可能に構成された傾角設定手段とを備え、
前記傾角設定手段により前記補助レール部の傾き角を設定することで、前記遊技球発射装置から前記案内レールに発射される遊技球の発射角度を複数段階に調整可能に構成したことを特徴とする弾球遊技機の発射角度調整機構。
【発明の詳細な説明】
【０００１】
【発明の属する技術分野】
本発明は、遊技領域が形成された遊技盤と、遊技領域に遊技球を発射する遊技球発射装置とを備えた弾球遊技機に関し、なお詳細には、遊技球発射装置から遊技盤に向けて発射される遊技球の球飛びを均一化させる技術に関する。
【０００２】
【従来の技術】
上記のような遊技球発射装置を備えた弾球遊技機として、パチンコ機、アレンジボール機、雀球遊技機等が一般に広く知られている。この種の弾球遊技機の代表とされるパチンコ機では、開閉搭載枠たる前枠の上部に遊技盤を収容する収容枠が設けられ、前面に遊技領域が形成された遊技盤が立設姿勢で収容保持されている。収容枠の下方に位置する前枠の下部領域には、遊技球を打ち出す発射機構および打ち出された遊技球を上方の遊技盤に向けて導く発射レールを備えた遊技球発射装置が設けられている。遊技盤には遊技球発射装置から発射された遊技球を受けて遊技領域に案内する半円弧状の案内レールが設けられており、遊技球発射装置から発射された遊技球が案内レールに沿って遊技領域の上部に導かれ、遊技釘に弾かれながら遊技領域を落下してゲームが行われるようになっている。
【０００３】
遊技球発射装置は、遊技者が遊技領域内の所望位置に遊技球を発射できるように、発射操作を行う発射ハンドルの操作量（回動角度位置）に応じた発射強度で遊技球を打ち出すように構成されている。ここで発射ハンドルの操作量が一定なら発射機構のハンマによる叩打力が一定になり、遊技球の到達位置も一定になるように考えられる。ところが、現実的には、遊技球発射装置を構成する多数の構成要素、例えば、発射ハンドルに内蔵されたポテンショメータ、ハンマの駆動源であるロータリーソレノイド、ハンマの先端に固定されたコイルバネのバネ定数、遊技球の叩打位置、発射レールの傾き角などが複雑に絡み合い、操作量が同一であっても発射された遊技球の到達位置（球飛び）に個体差が生じている。
【０００４】
このような背景の下、近年では、遊技球発射装置から発射された遊技球が案内レールに当接する位置（「着座点」という）の変化が、球飛びに影響を与えていると考えられるようになってきた。そこで、着座点を調整する手段として、発射レールの終端側を上下に変位させることで発射レールを弾性変形させ、レール面のプロフィール（発射レールが延びる方向のレール面の断面形状）を変化さることで発射角度を調整する調整機構が提案されている（特許文献１を参照）。
【０００５】
【特許文献１】
特開平６−３０４３０３号公報
【０００６】
【発明が解決しようとする課題】
しかしながら、上記特許文献１に記載された技術では、発射レール自体を弾性変形させる構成のため、発射レールの終端側を変位させたときにその影響が基端側にも及び、球飛び安定化の重要な要素のひとつである遊技球の叩打位置、すなわちハンマと遊技球との接触位置にも変化が生じるおそれがあった。また、発射レールを弾性変形させて発射角度を調整する構成のため、調整時に変形量に応じた反力が発生する。このため、変形量（調整量）が大きくなると、これに比例して反力も大きくなり、この反力に抗しながら微妙な角度調整をすることが難しいという課題があった。
【０００７】
さらに、角度設定後は発射レールに反力が蓄えられた状態にあり、角度設定を行う調整用のネジ固定部のほか発射レールを固定するネジ固定部にも常時この反力が作用している。一方、遊技中の発射レールには発射動作による振動や、遊技盤側から落下するファール球の衝突による衝撃などの繰り返し応力が作用する。このため、長期間の遊技提供中にネジの固定保持力が低下し、発射レールが調整前の直線状態に戻ってしまったり、調整時と異なった形状に変化するおそれがあるという課題も指摘されていた。
【０００８】
本発明はこのような課題に鑑みてなされたものであり、遊技球発射装置を構成する各構成部品の精度向上のみでは抑制しきれない球飛びのばらつきを容易に調整して均一化し得る弾球遊技機の発射角度調整機構を提供することを目的とする。
【０００９】
【課題を解決するための手段】
上記目的達成のため、本発明は、前面に遊技領域が設けられた遊技盤と、この遊技盤を収容保持する遊技盤収容部を備えた前枠と、遊技盤収容部の下方に位置する前枠の下部領域に設けられ遊技球を打ち出す発射機構および打ち出された遊技球を上方の遊技盤に向けて導く発射レールを備えた遊技球発射装置と、遊技盤に設けられ遊技球発射装置から発射された遊技球を受けて遊技領域に案内する案内レールとを備えた弾球遊技機に関するものである。そのうえで、前枠の下部領域には、発射レールと案内レールとの間に配設され発射レールから案内レールに向けて移動する遊技球をガイドする補助レール部が設けられたガイド部材と、ガイド部材を傾動自在に支持する支持部材と、支持部材に支持されたガイド部材を、選択可能な傾動角度位置として予め設定された複数の傾動角度位置のいずれかの角度位置に係止保持することにより、発射レールの延びる方向に対する補助レール部の傾き角を段階的に調整設定可能に構成された傾角設定手段（例えば、実施形態における傾角設定構造１３０，２３０）とを備え、傾角設定手段により補助レール部の傾き角を設定することで、遊技球発射装置から案内レールに発射される遊技球の発射角度を複数段階に調整可能に発射角度調整機構が構成される。
【００１０】
この発射角度調整機構では、発射レールと案内レールとの間に位置して発射レールから案内レールに向けて移動する遊技球をガイドする補助レール部を有したガイド部材が支持部材に傾動自在に支持される。本機構には支持部材に支持されたガイド部材を、選択可能な傾動角度位置として予め設定された複数の傾動角度位置のいずれかの角度位置に係止保持することで、補助レール部の傾き角を段階的に調整設定し得る傾角設定手段が備えられており、この傾角設定手段により補助レール部の傾き角を設定することで、遊技球発射装置から案内レールに発射される遊技球の発射角度を複数段階に調整可能に構成される。このため、遊技球発射装置を構成する構成部品の精度上のばらつきに起因して球飛びに差異が生じても、傾角設定手段を利用して遊技球の発射角度を容易に調整することができ、これにより案内レールへの着座点を微調整して球飛びを均一化することができる。
【００１１】
また、本構成の発射角度調整機構では、選択可能な傾動角度位置として複数の傾動角度位置が予め設定され、ガイド部材は、選択されたいずれかの角度位置に係止される構成になっている。このため、発射動作に伴って発射機構部から伝達される振動や、補助レール部を通過する遊技球による振動などが作用しても、補助レール部の傾き角が変化するようなことがなく、長期間にわたって安定した球飛びを維持することができる。
【００１２】
【発明の実施の形態】
以下、本発明の好ましい実施形態について、好適な実施例を挙げて添付図面を参照しながら説明する。図１にガラス扉５および上球皿６を開放した状態におけるパチンコ機ＰＭの正面図を示しており、まずこの図面を参照してパチンコ機ＰＭの全体概要について説明する。
【００１３】
パチンコ機ＰＭは外郭方形枠サイズに構成されて縦向きの固定保持用枠をなす外枠１の開口前面に、これに合わせた方形枠サイズに構成されて開閉搭載用の前枠２が互いの正面左側上下に配設されたヒンジ機構により前方に横開き開閉および着脱が可能に取り付けられ、正面右側に設けられた施錠装置４を利用して常には外枠１と係合連結された閉鎖状態に保持される。
【００１４】
前枠２の前面上部には、前枠２の前面域に合わせた方形状のガラス扉５および上球皿６が前方に横開き開閉および着脱可能に取り付けられ、正面右側に設けられた施錠装置４および球皿施錠装置を利用して前枠２の前面を覆う閉鎖状態に保持される。ガラス扉５の背後に位置する前枠上部には、遊技盤３０を着脱可能に収容保持する収容枠２ａが設けられており、この収容枠２ａに遊技盤３０が立設姿勢で収容保持され常には閉鎖施錠されるガラス扉５に前面域を臨ませている。
【００１５】
遊技盤３０は、所定板厚の積層合板の表面にセルを貼り付けて所定形状にルーター加工した化粧板（「ベニヤ」とも称される）３１を基板として構成される。化粧板３１の前面側には、帯板状の内レール３２と案内レール（外レールとも称される）３３とに囲まれて略円形の遊技領域ＰＡが区画形成され、この遊技領域ＰＡ内に多数本の遊技釘とともに風車や各種入賞具３５、遊技の進行状況に応じて図柄を表示させる画像表示装置３６などの遊技構成部品が取り付けられ、遊技領域ＰＡの下端部には遊技球を遊技盤３０の裏面側に排出させるアウト口３７が設けられている。案内レール３３は内レール３２の外側に所定間隔をおいて略平行に延び、これらのレール３２，３３に挟まれて下方に開く発射通路３４が形成される。
【００１６】
収容枠２ａの下方に位置する前枠２の下部領域には、遊技補助盤と称される補助機構部が形成され、その下側に下球皿７および発射ハンドル８が取り付けられている。遊技補助盤１０には発射ハンドル８の回動操作に基づいて、その回動操作角に応じた発射強度で遊技球を打ち出す発射機構２１および打ち出された遊技球を遊技盤３０の発射通路３４に向けて斜め上方に導く発射レール２３を備えた遊技球発射装置２０が設けられている。
【００１７】
ここで、発射機構２１には種々のタイプがあるが、例えば、ロータリーソレノイドの駆動軸に取り付けられたハンマを揺動制御し、あるいは揺動自在に支持されて捻りバネで付勢されたハンマをモータとカム機構を利用して揺動制御して、ハンマヘッドに固着されたコイルバネで遊技球を叩打する発射機構が利用される。発射レール２３は、右下端の打撃位置を基準として所定の傾斜角度（例えば２３度程度の傾斜角度）で固定設置され、その上端部が左斜め上方の発射通路３４に向けて収容枠２ａの支持面の高さ位置まで設けられる。発射レール２３のレール面は傾斜下端に向けて深くなるＶ溝状に折り曲げられており、下端部上方にはレール面に送り出された遊技球を打撃位置に位置決めする支持ブロック２４が取り付けられるとともに、この支持ブロック２４とＶ溝状のレール面との間にハンマヘッドのコイルバネを挿通させる叩打口が形成されている。
【００１８】
一方、案内レール３３は、下端部が発射レール２３の上端部の左方に所定間隔を隔てて固定され、左上方に円弧状に延びて所定高さで発射レールの延長線と浅い交差角で接するように形成されている。このため遊技球発射装置２０から発射された遊技球が案内レール３３に沿って滑らかに遊技領域ＰＡの上部に導かれ、遊技領域ＰＡを落下してゲームが行われるようになっている。
【００１９】
さて、以上のように概要構成されるパチンコ機ＰＭにあって、発射機構２１および発射レール２３が取り付けられて遊技球発射装置２０の基準とされる遊技補助盤１０に、遊技補助盤１０に、遊技球発射装置２０から案内レール３３に向けて発射される遊技球の発射角度を調整し得る発射角度調整機構が設けられている。以下では、まず図２〜図７の各図を参照して第１実施例の発射角度調整機構１００について説明する。
【００２０】
ここで、予め各図について簡単に説明すると、図２は発射角度調整機構１００の正面図、図３は発射角度調整機構１００の前面を覆うケースカバー１１を取り外した状態で斜め前方から見た発射角度調整機構１００の斜視図、図４は図２中のＩＶ−ＩＶ矢視の側断面図、図５は発射角度調整機構１００の平面図、図６は図２中のＶＩ−ＶＩ矢視の平断面図、図７は発射角度調整機構１００の作用を説明する正面図である。
【００２１】
発射角度調整機構１００は、発射レール２３と案内レール３３との間に配設されて発射レール２３から案内レール３３に向けて移動する発射球ＢＨをガイドする補助レール部１１３が設けられたガイド部材１１０と、ガイド部材１１０を傾動自在に支持するガイド部材支持ボス１２０と、このガイド部材支持ボス１２０に支持されたガイド部材１１０を、予め設定された複数の傾動角度位置のいずれかの角度位置に係止保持することにより、発射レール２３の延びる方向に対する補助レール部１１３の傾き角を段階的に調整設定可能に構成された傾角設定構造１３０とを備え、傾角設定構造１３０により補助レール部１１３の傾き角を設定することで、遊技球発射装置２０から案内レール３３に発射される発射球ＢＨの発射角度を複数段階に調整できるように構成される。
【００２２】
ガイド部材１１０は、リアベース１１０Ａ、センタープレート１１０Ｂ、フロントチップ１１０Ｃの３部材からなり、これらを係合連結することで一体のガイド部材１１０が構成される。
【００２３】
リアベース１１０Ａは、ガイド部材１１０のボディをなす部材であり、所定厚さの本体部１１１ａと、この本体部１１１ａの上方に突出するサイドレール１１４とを有し、ＡＢＳ樹脂等の樹材料を用いて射出成型等の成形手段により一体成型される。本体部１１１ａの中央部には、遊技補助盤１０側のガイド部材支持ボス１２０の外径よりもわずかに大きめの溝幅で上下に延びる長孔状の軸受孔１１２ａが形成されている。軸受孔１１２ａの左斜め下方にはセンタープレート１１０Ｂ側のベース嵌合孔１１６ｂと嵌脱自在な位置決め突起１１６ａが突出成型され、その上方および右方にはネジを挿通させるサラ穴形態のネジ挿通孔１１６ｈが本体部１１１ａの背面側から形成されている。
【００２４】
センタープレート１１０Ｂは、ガイド部材１１０のフレームを形成する部材であり、上下に延びる本体部１１１ｂと、この本体部１１１ｂの上端が前方に折り曲げられて斜め左右に延びる補助レール部１１３と、本体部１１１ｂの下部左右が斜めに切り落とされて鋭角に形成された係止突起１１５ｂとを有し、所定板厚のステンレス鋼板等の金属材料を用いてプレス成型等の成形手段で形成される。本体部１１１ｂの上部中央部には、リアベース１１０Ａ側の軸受孔１１２ａと位置整合して同様の軸受孔１１２ｂが形成され、その左斜め下方にはリアベース側の位置決め突起１１６ａと位置整合して嵌脱自在なベース嵌合孔１１６ｂが、その上方および右方にはネジ挿通孔１１６ｈと位置整合してネジ孔１１６ｎが形成されている。また本体部１１１ｂの下端部には、フロントチップ１１０Ｃ側の位置決め突起１１８ｃと嵌脱自在なチップ嵌合孔１１８ｂが穿設され、その上方に係止ネジ１３８と螺合するネジ孔１１８ｎが形成されている。
【００２５】
フロントチップ１１０Ｃは、ガイド部材１１０の傾動角度位置を規定する構造部材であり、センタープレート１１０Ｂの下端形状に合わて鋭角に形成された係止突起１１５ｃ、センタープレート１１０Ｂ側のチップ嵌合孔１１８ｂと位置整合して後方に突出し嵌脱自在な位置決め突起１１８ｃ、センタープレート側のネジ孔１１８ｎと位置整合して係止ネジ１３８を挿通させるサラ穴形態のネジ挿通孔１１８ｈが形成された円筒状の操作つまみ部１１８ｍなどを有し、リアベースと同様の樹脂材料を用いて一体成型される。フロントチップ１１０Ｃの前面には、係止突起１１５ｃの方位を示す指標１１７が形成されている。
【００２６】
ガイド部材１１０は、上記リアベース１１０Ａ、センタープレート１１０Ｂ、フロントチップ１１０Ｃの３部材を係合連結することで一体化される。すなわち、センタープレート１１０Ｂの後方からベース嵌合孔１１６ｂに位置決め突起１１６ａを嵌合させて位置決めし、リアベース１１０Ａの背面側からネジ挿通孔１１６ｈにサラビスを挿通させてネジ孔１１６ｎに締め込むことで、リアベース１１０Ａとセンタープレート１１０Ｂとが相対位置および角度ともに位置決めされて連結される。またセンタープレート１１０Ｂの前方からチップ嵌合孔１１８ｂに位置決め突起１１８ｃを嵌合させて位置決めし、フロントチップ１１０Ｃの前面側からネジ挿通孔１１８ｈに係止ネジ１３８を挿通させてネジ孔１１８ｎに螺合させることで、リアベース１１０Ａとセンタープレート１１０Ｂとが相対位置および角度ともに位置決めされて連結される。
【００２７】
このようにして一体化されたガイド部材１１０では、リアベース１１０Ａの本体部１１１ａとセンタープレート１１０Ｂの本体部１１１ｂとが連結して一体の本体部１１１が形成され、その中央部には同様に位置整合して連結し前後に延びる軸受孔１１２（１１２ａ，１１２ｂ）が形成される。またガイド部材１１０の下端部では、センター部材１１０Ｂの係止突起１１５ｂとフロントチップ１１０Ｃの係止突起１１５ｃとが位置整合して連結して一体の係止突起１１５が形成される。
【００２８】
ガイド部材１１０の上部では、補助レール部１１３が斜め左右に延び、その後方にサイドレール１１４が上方に突出して配設される。補助レール部１１３は発射レール２３と連絡するように左右に延び、そのレール面の傾斜角は、図２および図７（ａ）に示すように、ガイド部材１１０を基準となる中央の傾動角度位置に設定した状態で、発射レール２３の傾斜角と一致するように形成される。なお、本明細書では、ガイド部材１１０の傾動角度位置について、発射球ＢＨの進行方向に見てレール面が上向きになる方向を正の角度位置、下向きになる方向を負の角度位置と規定して説明する。補助レール部１１３の導入側は、滑らかな曲面状に形成されており、ガイド部材１１０を正・負いずれの角度位置に設定した場合でも、上方を通過する発射球ＢＨが滑らかにガイドされるようになっている。
【００２９】
補助レール部１１３の後方に配設されるサイドレール１１４には、本体部１１１よりも右方に突出する突出片１１４ａが形成されており、この突出片１１４ａが化粧板３１の下縁前方に位置して配設されるようになっている。サイドレール１１４の立設高さは遊技球の半径よりも幾分大きめに設定される一方、ガイド部材１１０を正方向に揺動させた場合でも突出片１１４ａの先端部が発射レール２３と干渉しないように、先端側が細い三角形状に形成されている。また突出片１１４ａおよびサイドレールの左端部には、このサイドレールの前方を通る発射球を滑らかに案内する傾斜面１１４ｂが形成されている（図５を参照）。
【００３０】
一方、遊技補助盤１０には、発射レール２３の左側に位置してガイド部材１１０を支持するガイド部材支持ボス１２０が前方に突出成型されている。ガイド部材支持ボス１２０の突出高さは、ガイド部材の軸受孔１１２の深さと同一またはこれよりわずかに小さめに設定されている。ガイド部材支持ボス１２０の左側部および下方には、傾角設定フレーム１３１をネジ固定するためのネジ受容孔が形成されている。
【００３１】
傾角設定フレーム１３１は、ガイド部材１１０の左側方を覆うガード壁１３２と、ガイド部材の下部を覆ってガイド部材を支持するガイド支持部１３３とを有し、リアベース１１０Ａと同様の樹脂材料を用いて同様の成形手段で一体成型される。傾角設定フレーム１３１の左上部および下端部には、この傾角設定フレーム１３１を遊技補助盤１０に固定するためのネジ挿通孔を有する固定フランジ１３４が張出成型されている。
【００３２】
傾角設定フレーム１３１におけるガイド支持部１３３の内側に、ガイド部材１１０の係止突起１１５と係脱可能なＶ字溝状の傾角設定溝１３５が複数形成されている。本実施例では、ガイド部材１１０を基準の角度位置に設定したときに係止突起１１５と係合する中央の傾角設定溝の左右に、それぞれ２箇所づつ、合計５箇所の傾角設定溝１３５を形成した例を示しており、ガイド部材１１０を傾動させて係止突起１１５をいずれかの傾角設定溝に係合させることで、補助レール部１１３の傾き角を、発射レール２３の傾き角と一致する基準角度位置を中心として、発射球の進行方向に上向きとなる正の傾き方向に２段階、発射球の進行方向に下向きとなる負の傾き方向に２段階の計５段階に設定可能な構成になっている。傾角設定溝１１５の前方には所定高さの前方壁面が形成され、ここにガイド部材１１０の傾動角度位置の目安を示す傾角目盛り１３７が形成されている。各図には、前述した基準角度位置を中心として左右等間隔に正方向および負方向の目盛り線を形成した例を示す。
【００３３】
そして、以上の各構成部材が遊技補助盤１０に組み付けられて傾斜角度調整機構１００が形成される。ガイド部材１１０は、軸受孔１１２をガイド部材支持ボス１２０に嵌合支持させ、その前方から座金を介して支持ネジ１２８を螺合締結することで組み付けられる。ガイド部材１１０がガイド部材支持ボス２０に組み付けられると、ガイド部材１１０はこのガイド部材支持ボスの軸まわりに傾動可能、軸受穴１１２の長孔の延びる方向にスライド可能に支持される。
【００３４】
次いで、傾角設定フレーム１３１を遊技補助盤に組み付ける。傾角設定フレーム１３１が組み付けられると、ガイド部材１１０の係止突起１１５が傾角設定溝１３５と係脱可能となり、操作つまみ部１１８ｍを利用してガイド部材１１０を上方にスライドさせ、適宜な角度位置で下方にスライドさせることで、係止突起１１５を傾角設定溝１３５に係合させ、ガイド部材を当該傾動角度位置に係止することができる。このとき、ガイド支持部の傾角目盛り１３７に対するフロントチップの指標１１７の位置から、ガイド部材１１０の傾き方向およびその程度を確認することができる。
【００３５】
そして、係止突起１１５を傾角設定溝１３５に係合させた状態で、操作つまみ部１１８ｍの中心に螺合された係止ネジ１３８を締め込む。すると、係止ネジ１３８が螺合に応じて遊技補助盤１０に向けて移動し、先端のトガリ先部分が遊技補助盤１０に係合する一方、その反力でセンタープレート１１０Ｂの本体部１１１ｂが前方に弾性変形し、フロントチップ１１０Ｃがガイド支持部１３３の背面と係合してガイド部材１１０が当該角度位置に強固に固定される。
【００３６】
このため、係止ネジ１３８を緩めてガイド部材１１０を上動、傾動、下動させることでガイド部材１１０の傾動角度位置、すなわち補助レール部１１３の傾き角を、支持ネジ１２８から係止ネジ１３８までの腕の長さと、傾角設定溝１３５の形成ピッチとの関係で定まる所定の角度ピッチで、複数段階に調整設定することができ、設定した傾動角度位置で係止ネジ１３８を締め込むことで当該角度位置に固定することができる。
【００３７】
このように、本実施例の発射角度調整機構１００では、ガイド部材１１０の下端に形成された係止突起１１５と、ガイド支持部１３３の内側に形成された複数の傾角設定溝１３５とを主体として傾角設定構造１３０が構成され、ガイド部材支持ボス１２０に支持されたガイド部材の係止突起１１５を、いずれかの傾角設定溝１３５に係合させて係止することにより、予め設定された複数の傾動角度位置のいずれかにガイド部材１１０を固定することができる。
【００３８】
ガイド部材１１０および傾角設定フレーム１３１の前方に、遊技補助盤１０の前面の中央部から左側方にかけて盤面を覆うケースカバー１１が取り付けられる。ケースカバー１１には、発射レール２３の延長線よりも上方に位置して左斜め上方に延びる飛送ガイド１２が形成され、その後方にはガイド部材１１０と案内レール３３との間で上方に開口するファール球回収口１３が形成される。ファール球回収口１３の下方には下球皿７に繋がるファール球回収通路１４が形成されており、遊技領域ＰＡに到達できずに案内レール３３に沿って落下してきたファール球がファール球回収口１３に落入し、ファール球回収通路１４を通って下球皿７に回収されるようになっている。
【００３９】
このため、遊技球発射装置から発射され発射通路３４に飛翔する発射球ＢＨが、ガラス扉５のガラス板に直接衝突することなく案内レール３３に向けて案内される。一方、遊技領域ＰＡに到達できずに案内レール３３に沿って落下してきたファール球は、遊技補助盤１０の前面側に転落することなくファール球回収口１３に落入して下球皿７に回収される。このときファール球回収口１３に落入したファール球は、ガード壁１３２に受け止められてファール球回収通路１４に導かれ、ガイド部材１１０に衝突しないようになっている。ケースカバー１１の前面には、長孔状の傾角設定窓１７が開口形成されており、ガイド部材１１０の傾動角度位置調整および設定位置の目視確認などができるようになっている。
【００４０】
以上のように構成される発射角度調整機構１００では、係止ネジ１３８を緩めてガイド部材１１０を上動、傾動、下動させることで、ガイド部材１１０の傾動角度位置、すなわち補助レール部１１３の傾き角を段階的に調整して発射球ＢＨの発射角度を設定し、係止ネジ１３８を締め込むことで当該調整後の発射角度に固定することができる。
【００４１】
遊技球の発射角度を調整する際には、初期設定とされるガイド部材１１０の基準角度位置設定、すなわち係止突起１１５が鉛直下方を指す角度設定において、発射機構２１により打ち出される遊技球の発射強度を基準強度に設定し、発射された遊技球の案内レール３３への着座点が所定位置になるようにガイド部材１１０の傾動角度位置を調整することで行われる。ここで、発射強度を基準強度にするには種々の方法があるが、例えば、発射ハンドル８の回動角度位置を所定の回動角度位置に設定し、あるいは当該回動角度位置に対応する操作信号を発射機構２１の制御基板に入力し、または発射機構２１の駆動源（ロータリーソレノイドやモータ）に基準電力の指令信号を入力するなどにより、一定の叩打力で遊技球を打ち出させる。
【００４２】
発射機構２１のハンマに叩打され左方向に打ち出された遊技球は、斜め上方に向けて延びる発射レール２３との相対作用（反力）により発射レール２３に押しつけられるようにレール面に沿って転動し、補助レール部１１３を通ってファール球回収口１３の上方を発射通路３４に向けて飛翔する。
【００４３】
ここで、補助レール部１１３の後方にサイドレール１１４が設けられ、このサイドレール１１４の左端部には滑らかな傾斜面１１４ｂが形成されている。このため、発射球は一般的には発射レールのＶ溝構成によりレール面の中心線上を移動してサイドレール１１４に接することなく補助レール部１１３を通過するが、例えば発射レール下端の打撃位置に安定する以前にハンマに叩打されて遊技盤寄りの経路を移動してきた場合であっても、このサイドレール１１４に案内されて発射通路３４に飛翔する。
【００４４】
またサイドレール１１４が化粧板３１の下縁前方に配設されているため、万が一、化粧板３１の表面に張られたセルが剥離しても、発射球が剥離したセルや化粧板３１の下縁角部等に引っかかるようなことがない。さらに、遊技球が遊技盤３０から離れた経路を移動してきた場合や、サイドレール１１４に接して前方に案内された遊技球は、ケースカバーの飛翔ガイド１２に接して案内され、ガラス扉５のガラス板に直接衝突することなく案内レール３３に向けて飛翔する。
【００４５】
発射通路３４を飛翔した発射球ＢＨは、遊技球発射装置２０をはじめとする各構成要素の組み合わせに応じた高さ位置で案内レール３３に着座する。そこで、観測された着座点とこのパチンコ機ＰＭにおける基準の着座点の範囲とを比較し、基準着座点の範囲外であるときにその高・低を判断する。着座点の判定は、例えば盤面に合致した機種固有のテンプレートやゲージを利用して行うことができるほか、案内レール３３のレール面に感圧紙を貼り付けて接触点を観察する方法等によっても行うことができる。
【００４６】
そして、観測された着座点が基準着座点の範囲よりも高いと判断されたときには、係止ネジ１３８を緩めてガイド部材１１０の固定を解除し、操作つまみ部１１８ｍを利用してガイド部材１１０を負の傾角方向に傾動させ、補助レール部１１３の傾き角を発射球ＢＨの進行方向に見て下向き方向に傾動させて、係止突起１１５を−１段目の傾角設定溝に係合させ、係止ネジ１３８を仮締めする。そこで着座点の確認を行い基準着座点の範囲内にあるときには当該角度位置で係止ネジ１３８を締め込む。これによりガイド部材１１０が−１段目の傾動角度位置に固定され、補助レール部１１３の傾き角が下向きに調整された角度位置に固定保持される。
【００４７】
一方、観測された着座点が基準の着座点の範囲よりも低いと判断されたときには、係止ネジ１３８を緩めてガイド部材１１０の固定を解除し、操作つまみ部１１８ｍを利用してガイド部材１１０を正の傾角方向に傾動させ、補助レール部１１３の傾き角を発射球ＢＨの進行方向に見て上向き方向に傾動させて、係止突起１１５を＋１段目の傾角設定溝に係合させ、係止ネジ１３８を仮締めする。そこで着座点の確認を行い基準着座点の範囲内にあるときには当該角度位置で係止ネジ１３８を締め込む。これによりガイド部材１１０が＋１段目の傾動角度位置に固定され、補助レール部１１３の傾き角が下向きに調整された角度位置に固定保持される。
【００４８】
従って、以上説明した発射角度調整機構１００によれば、遊技球の発射角度の調整を簡単に行うことができるため、パチンコ機の各構成部品のばらつきに起因して球飛びに個体差が生じても、遊技球の発射角度を調整することにより案内レール３３への着座点を一定範囲内に調整して球飛びを均一化することができる。また、発射角度調整機構１００では、係止突起と傾角設定溝との係合によってガイド部材を係止する構成のため、調整した発射角度を長期間にわたって安定維持させることができる。
【００４９】
なお、上記実施例では係合突起１１５をガイド部材１１０側に設け、傾角設定溝１３５を傾角設定フレーム１３１側に５段階設けた例を示したが、係合突起および傾角設定溝の配設位置関係を逆に構成し、あるいは段数を変更した構成とすることもできる。このような変更例を図８および図９に示しており、以下簡潔に説明する。なお、図８は変更例に係る発射角度調整機構１５０の正面図、図９は図８中のＩＸ−ＩＸ矢視の平断面図である。なお、上述した発射角度調整機構１００と共通機能の部材には、同一番号を付して重複説明を省略する。
【００５０】
発射角度調整機構１５０におけるガイド部材１６０は、縦長箱状で一体の本体部１６１を有しその上部に補助レール部１１３およびサイドレール１１４が一体成型されている。本体部１６１の上部中央には、遊技補助盤１０側のガイド部材支持ボス１２０と嵌脱自在な円筒状の軸受孔が形成されている。すなわち本実施例のガイド部材１６０は、ガイド部材支持ボス１２０に対して相対スライドすることなく左右傾動のみ可能に支持され、座金を介して支持ネジ１２８を支持ボス１２０に螺合締結することで取り付けられる。本体部１６１の下部には、上下方向に延びるＶ字溝状の傾角設定溝１６５が、基準角度位置を中心に左右に複数形成されている。
【００５１】
傾角設定フレーム１８１は、全体として前述した傾角設定フレーム１３１と同様の形態を有する一方、ガイド部材１６０の下部前方を覆うガイド支持部１８３が大きめに形成され、ガイド部材支持ボス１２０の鉛直下方に位置整合して後方に延びる円筒状のネジボス１８３ｂが形成され、その中心に前後を貫通してネジ受容孔が形成されている。傾角設定フレーム１８１は固定ネジ１３９により遊技補助盤１０に取り付けられ、ガイド支持部１８３がガイド部材１６０の下部前方を覆って配設される。ネジボス１３８ｂにはガイド支持部１８３の前方からトガリ先形態の係止ネジ１８８が螺合され先端のトガリ先が、傾角設定溝１６５と係合してガイド部材１６０を係止する。
【００５２】
このように構成される発射角度調整機構１５０では、係止ネジ１８８を緩めてトガリ先と傾角設定溝１６５との係合を解除することでガイド部材１６０が傾動可能となり、補助レール部１１３の傾き角を正方向または負方向に調整することができる。そして係止ネジ１８８を締め込むことでトガリ先が傾角設定溝１６５と係合し、支持ネジ１２８から係止ネジ１８８までの腕の長さと、傾角設定溝１６５のピッチとの関係で定まる所定の角度ピッチで、補助レール部１１３の傾き角を段階的に調整設定することができる。なお、本体部１６１に前述した指標１１７を設け、ガイド支持部１８３に傾角目盛り１３７を設けることで、傾角設定位置を明確化し調整操作を容易化することができる。
【００５３】
従って、このような構成の発射角度調整機構１５０にあっても、上述した発射角度調整機構１００と同様に発射角度の調整設定を行うことができ、同様の効果を得ることができる。
【００５４】
次に、第２実施例の発射角度調整機構２００について、図１０〜図１６の各図を参照して説明する。ここで、図１０は発射角度調整機構２００の正面図、図１１は発射角度調整機構２００の前面を覆うケースカバー１１を取り外した状態で斜め前方から見た発射角度調整機構２００の斜視図、図１２は同様にケースカバーを取り外した状態で発射角度調整機構２００を左側方から見た側面図、図１３は発射角度調整機構２００の平面図、図１４は発射角度調整機構２００におけるガイド部材２１０と傾角調整レバー２３０との関係を示す平断面図、図１５および図１６は発射角度調整機構２００の作用を説明する正面図である。
【００５５】
発射角度調整機構２００は、発射レール２３と案内レール３３との間に配設されて発射レール２３から案内レール３３に向けて移動する発射球ＢＨをガイドする補助レール部２１３が設けられたガイド部材２１０と、ガイド部材２１０を傾動自在に支持するガイド部材支持ボス２２０と、このガイド部材支持ボス２２０に支持されたガイド部材２１０を、予め設定された複数の傾動角度位置のいずれかの角度位置に係止保持することにより、発射レール２３の延びる方向に対する補助レール部２１３の傾き角を段階的に調整設定可能に構成された傾角設定構造２３０とを備え、傾角設定構造２３０により補助レール部２１３の傾き角を設定することで、遊技球発射装置２０から案内レール３３に発射される発射球ＢＨの発射角度を複数段階に調整できるように構成される。
【００５６】
ガイド部材２１０は、左右平行に上下に延びるスポーク状の本体部２１１と、この本体部２１１の上部に前後に延びて形成された円筒状の軸受孔２１２と、本体部２１１の上端に形成された補助レール部２１３と、本体部２１１の下端に形成されたラック部２１５とを主体として構成され、ＡＢＳ樹脂等の樹脂材料を用い射出成型等の成形手段で一体成型される。軸受部２１２の内径は遊技補助盤１０に立設されたガイド部材支持ボス２２０の外径よりもわずかに大きめに形成されており、ガイド部材支持ボス２２０と嵌脱自在に係合してガイド部材２１０が左右揺動自在に支持されるようになっている。
【００５７】
補助レール部２１３は、発射レール２３と略同一のレール幅で左右に延び、その傾斜角は、図１０および図１５に示すように、ガイド部材２１０を基準となる中央の傾動角度位置に設定した状態で、発射レール２３の傾斜角と一致するように形成される。補助レール部２１３の導入側は、滑らかな曲面状に形成されており、ガイド部材２１０を正・負いずれの角度位置に設定した場合でも、上方を通過する発射球ＢＨが滑らかにガイドされるようになっている。
【００５８】
補助レール部２１３のレール面の後方にサイドレール２１４が立設されている。サイドレール２１４の右端側は右方に突出して形成され、この突出片２１４ａが化粧板３１の下縁前方に位置して配設されるようになっている。サイドレール２１４の立設高さは遊技球の半径よりも幾分大きめに設定される一方、ガイド部材２１０を正方向に揺動させた場合でも突出片２１４ａの先端部が発射レール２３と干渉しないように、先端側が細い三角形状に形成されている。また突出片部２１４ａおよびサイドレールの左端部には、このサイドレールの前方を通る発射球を滑らかに案内する傾斜面２１４ｂが形成されている（図１４を参照）。
【００５９】
ラック部２１５は、軸受孔２１２からの半径に合わせた円弧形態で前後に幅を持つリム状に形成され、その外周面に所定モジュールの歯形が形成されて、大径歯車の一部を形成している。遊技補助盤１０と対峙するラック部２１５の後方端面には、半球状に突出する係止突起が１箇所形成されており、遊技補助盤１０に形成された複数の傾角設定穴２２５と係脱可能になっている。
【００６０】
傾角設定構造２３０は、遊技補助盤１０に揺動可能に支持されて、上記ラック部２１５と噛合する傾角調整レバー２３１を調整操作の主体とし、ラック部２１５に突出成型された係止突起と、遊技補助盤１０に形成された複数の傾角設定穴２２５との嵌合により、予め設定された複数の傾動角度位置のいずれかの角度位置にガイド部材２１０を係止保持するように構成される。
【００６１】
傾角調整レバー２３１は、円筒状の軸受部２３２の前面側に軸直交方向に張り出し成型された操作レバー部２３３と、軸受部２３２の外周面にラック部２１５と同一モジュールの歯形が形成されて小径歯車の一部をなすピニオン部２３５とを有して構成される。軸受部２３２の内径は遊技補助盤側の調整部材支持ボス２２１の外径よりもわずかに大きめに形成されており、調整部材支持ボス２２１と嵌脱自在に係合して、傾角調整レバー２３１が揺動自在に支持されるようになっている。
【００６２】
一方、遊技補助盤１０には、発射レール２３の左側に位置してガイド部材２１０を支持するガイド部材支持ボス２２０、および傾角調整レバー２３１を支持する調整部材支持ボス２２１が前方に突出成型されている。調整部材支持ボス２２１は、傾角調整レバー２３１の軸受部２３２と嵌合する前端側の円筒部と、これよりも大径に形成されて軸受部２３２の後面を支持する支持部とを有して段付きに形成されている。前端側の円筒部の高さ寸法は軸受部２３２の深さ寸法よりも小さく形成され、また支持部を含む調整部材支持ボス２２１全体の高さ寸法が、ラック部２１５の前後方向寸法と略同一寸法に設定されている。
【００６３】
調整部材支持ボス２２１の上側には、ラック部２１５後面の係止突起の揺動半径位置にあわせて、係止突起と係脱可能な半球窪み状の傾角設定穴２２５が形成されている。本実施例では、ガイド部材２１０を基準の角度位置に設定したときに係止突起と係合する中央の傾角設定穴の左右に、それぞれ２箇所づつ、合計５箇所の傾角設定穴２２５を形成した例を示しており、ガイド部材２１０を傾動させて係止突起をいずれかの傾角設定穴に係合させることで、補助レール部２１３の傾き角を、発射レール２３の傾き角と一致する基準角度位置を中心として、発射球の進行方向に上向きとなる正の傾き方向に２段階、発射球の進行方向に下向きとなる負の傾き方向に２段階の計５段階に設定可能な構成になっている。
【００６４】
そして、以上のように構成される各部材が遊技補助盤１０に組み付けられて傾斜角度調整機構２００が形成される。ガイド部材２１０は、軸受孔２１２をガイド部材支持ボス２２０に嵌合させて支持させ、その前方から座金を介して支持ネジ２２８を螺合することで左右に傾動可能に支持される。このときラック部２１５の後面の係止突起を中央の傾角設定穴２２５に嵌合させ、ガイド部材を基準角度位置に設定しておく。次いで、操作レバー部２３３を鉛直下方に向けた角度姿勢でピニオン部２３５をラック部２１５に噛合させ、軸受部２３２を調整部材支持ボス２２１に嵌合支持させる。そして軸受部の前方から係止ネジ２３８を調整部材支持ボス２２１に螺合させることで傾角調整レバー２３１が回動可能に組み付けられる。
【００６５】
このように傾角調整レバー２３１とガイド部材２１０とが組み付けられると、傾角調整レバー２３１を回動したときに、ピニオン部２３５とラック部２１５との噛合により回動力が伝達され、傾角調整レバー２３１の回動方向と反対方向にガイド部材２１０が押圧されてガイド部材支持ボス２２０を軸心として傾動される。また、ピニオン部２３５とラック部２１５の径比からも明らかなように、傾角調整レバー２３１の回動角度に対してガイド部材２１０の傾動角度は小さく、大きな回動操作角度で微少な傾動角度の段階設定を行うことができる。
【００６６】
一方、ラック部２１５の後面側では、ガイド部材２１０の傾動に伴って係止突起が移動し、それまで嵌入していた中央の傾角設定穴２２５から乗り上げるようにして嵌合が外れる。このとき、本体部２１１は係止突起の高さ分だけ弾性変形して相対移動を許容し、係止突起の先端が隣接する傾角設定穴の周縁にさしかかったときに本体部２１１が自己復帰して、係止突起が当該隣接する傾角設定穴に嵌入する。
【００６７】
このため、操作レバー部２３３を利用して傾角調整レバー２３１を回動させることで、ガイド部材２１０を左右に傾動させることができ、傾角設定穴が形成された傾動角度位置に係止突起を嵌合させることで、ガイド部材２１０の傾動角度位置、すなわち補助レール部２１３の傾き角を段階的に調整して当該調整角度位置に係止させることができる。
【００６８】
また前述したように、調整部材支持ボス２２１における前端側の円筒部の高さ寸法が軸受部２３２の深さ寸法よりも小さく形成され、調整部材支持ボス２２１全体の高さ寸法が、ラック部２１５の前後方向寸法と略同一寸法に設定されている。このため、傾動角度位置の調整設定が完了したときに係止ネジ２３８を締め込むことで、傾角調整レバー２３１を調整後の揺動角度位置に固定することができ、また傾角調整レバー２３１でラック部２１５を挟み込んで、係止突起と傾角設定穴２２５との嵌合状態を保持させて、ガイド部材２１０を当該設定した傾動角度位置に強固に固定することができる。
【００６９】
ガイド部材２１０および傾角調整レバー２３１の前方に取り付けられるケースカバー１１には、既述した各実施例と同様の飛送ガイド１２が形成され、その後方にガイド部材２１０と案内レール３３との間で上方に開口するファール球回収口１３が形成される。ファール球回収口１３の下方には下球皿７に繋がるファール球回収通路１４が形成されており、遊技領域ＰＡに到達できずに案内レール３３に沿って落下してきたファール球がファール球回収口１３に落入し、ファール球回収通路１４を通って下球皿７に回収されるようになっている。ケースカバー１１の裏面側には、ガイド部材２１０の左側方に位置して後方に延びファール球回収通路の側壁を形成するガード壁１５が、遊技補助盤１０の上方まで形成されている。
【００７０】
このため、遊技球発射装置から発射され発射通路３４に飛翔する発射球ＢＨが、ガラス扉５のガラス板に直接衝突することなく案内レール３３に向けて案内される。一方、遊技領域ＰＡに到達できずに案内レール３３に沿って落下してきたファール球は、遊技補助盤１０の前面側に転落することなくファール球回収口１３に落入して下球皿７に回収される。このときファール球回収口１３に落入したファール球は、ガード壁１５に受け止められてファール球回収通路１４に導かれ、ガイド部材の本体部２１１や傾角調整レバー２３１に衝突しないようになっている。ケースカバー１１の前面には、ガード壁１５の右側に円形の傾角設定窓１７が開口形成されており、傾角調整レバー２３１の調整並びに固定操作、および傾角調整レバー２３１の設定位置の目視確認などができるようになっている。
【００７１】
以上のように構成される発射角度調整機構２００では、係止ネジ２３８を緩めて傾角調整レバー２３１を回動することで、ガイド部材２１０の傾動角度位置、すなわち補助レール部２１３の傾き角を段階的に調整して発射球ＢＨの発射角度を設定し、係止ネジ２３８を締め込むことで当該調整後の発射角度に固定することができる。
【００７２】
遊技球の発射角度を調整する際には、初期設定とされるガイド部材２１０の基準角度位置設定、すなわち傾角調整レバー２３１が鉛直下方を指す角度設定において、発射機構２１により打ち出される遊技球の発射強度を基準強度に設定し、発射された遊技球の案内レール３３への着座点が所定位置になるようにガイド部材２１０の傾動角度位置を調整することで行われる。発射強度を基準強度にする方法は既述したとおりである。
【００７３】
発射機構２１のハンマに叩打され左方向に打ち出された遊技球は、斜め上方に向けて延びる発射レール２３との相対作用により発射レール２３に押しつけられるようにレール面に沿って転動し、補助レール部２１３を通ってファール球回収口１３の上方を発射通路３４に向けて飛翔する。
【００７４】
ここで、補助レール部２１３にはサイドレール２１４が設けられ、このサイドレール２１４が化粧板３１の下縁前方に配設されている。このため、万が一、化粧板３１の表面に張られたセルが剥離しても、サイドレール２１４が剥離したセルを押さえ、発射球が剥離したセルに引っかかったり、セルの剥離を進行させるようなことがない。一方、遊技球が遊技盤３０から離れた前方の経路を移動した遊技球や、サイドレール２１４に接して前方に案内された遊技球は、ケースカバーの飛翔ガイド１２に接して案内され、ガラス扉５のガラス板に直接衝突することなく案内レール３３に向けて飛翔する。
【００７５】
発射通路３４を飛翔した発射球ＢＨは、遊技球発射装置２０をはじめとする各構成要素の組み合わせに応じた高さ位置で案内レール３３に着座する。そこで、観測された着座点とこのパチンコ機ＰＭにおける基準の着座点の範囲とを比較し、基準着座点の範囲であるときにその高・低を判断する。なお着座点の判定には既述した各手法を用いることができる。
【００７６】
そして、観測された着座点が基準着座点の範囲よりも高いと判断されたときには、係止ネジ２３８を緩めてガイド部材２１０の固定を解除し、傾角調整レバー２３１を時計回りに回動してガイド部材２１０を負の傾角方向に傾動させ、補助レール部２１３の傾き角を発射球ＢＨの進行方向に見て下向き方向に傾動させる。このとき、中央の傾角設定穴に嵌合していた係止突起が負方向に移動し−１段目の傾角設定穴に移動してクリック感とともに嵌合し、当該角度位置に係止される。そこで着座点の確認を行い基準着座点の範囲内にあるときには当該角度位置で係止ネジ２３８を締め込む。これにより傾角調整レバー２３１およびガイド部材２１０が−１段目の傾動角度位置に固定され、補助レール部２１３の傾き角が下向きに調整された角度位置に固定保持される。
【００７７】
一方、観測された着座点が基準の着座点の範囲よりも低いと判断されたときには、係止ネジ２３８を緩めてガイド部材２１０の固定を解除し、傾角調整レバー２３１を反時計回りに回動してガイド部材２１０を正の傾角方向に傾動させ、補助レール部２１３の傾き角を発射球ＢＨの進行方向に見て上向き方向に傾動させる。このとき、中央の傾角設定穴に嵌合していた係止突起が正方向に移動し＋１段目の傾角設定穴に移動してクリック感とともに嵌合し、当該角度位置に係止される。そこで着座点の確認を行い基準着座点の範囲内にあるときには当該角度位置で係止ネジ２３８を締め込む。これにより傾角調整レバー２３１およびガイド部材２１０が＋１段目の傾動角度位置に固定され、補助レール部２１３の傾き角が下向きに調整された角度位置に固定保持される。
【００７８】
傾き角の調整操作は、操作レバー部２３３を左右に揺動させることで、明確なクリック感をもって段階的に行うことができ、かつ調整設定後の角度位置に確実に固定することができる。また調整操作に際しては、操作レバー部２３３の方位が、補助レール部２１３の傾き方向およびその段階を明示する指標となり、観測された着座点の高・低およびその程度に応じて傾角設定位置を選択し、案内レール３３への着座点を容易に調整設定できる。なお、実施例では半球窪み状の傾角設定穴２２５を計５段階設けた例を示したが、より微細な溝状に形成してもよく、７段以上の多段に構成してもよい。さらに、このような段階機構を傾角調整レバー２３１側に設ける構成としてもよい。
【００７９】
従って、以上説明した発射角度調整機構２００によれば、傾角調整レバー２３１を揺動操作することで遊技球の発射角度を簡単に調整できるため、パチンコ機の各構成部品のばらつきに起因して球飛びに個体差が生じても、遊技球の発射角度を調整することにより案内レール３３への着座点を一定範囲内に調整して球飛びを均一化することができる。また、発射角度調整機構２００では、係止突起と傾角設定穴との係合によってガイド部材を係止する構成のため、調整した発射角度を長期間にわたって安定維持させることができる。
【００８０】
【発明の効果】
以上説明したように、本発明では、遊技盤を収容保持する前枠の下部領域に設けられて発射機構および発射レールを備えた遊技球発射装置と、遊技球発射装置から発射された遊技球を遊技盤の遊技領域に案内する案内レールとを備えた弾球遊技機において、前枠の下部領域に、発射レールと案内レールとの間に配設され発射レールから案内レールに向けて移動する遊技球をガイドする補助レール部が設けられたガイド部材と、ガイド部材を傾動自在に支持する支持部材と、支持部材に支持されたガイド部材を、選択可能な傾動角度位置として予め設定された複数の傾動角度位置のいずれかの角度位置に係止保持することにより、発射レールの延びる方向に対する補助レール部の傾き角を段階的に調整設定可能に構成された傾角設定手段とを設け、傾角設定手段により補助レール部の傾き角を設定することで、遊技球発射装置から案内レールに発射される遊技球の発射角度を複数段階に調整可能に発射角度調整機構を構成する。
【００８１】
このため、遊技球発射装置を構成する構成部品の精度上のばらつきに起因して球飛びに差異が生じても、傾角設定手段を利用して遊技球の発射角度を調整することで案内レールへの着座点を微調整することができ、これにより各構成部品の精度向上のみでは抑制しきれない球飛びのばらつきを容易に調整して均一化し得る発射角度調整機構を提供することができる。また、選択可能な傾動角度位置として複数の傾動角度位置が予め設定され、ガイド部材は、選択されたいずれかの角度位置に係止される構成になっている。このため、発射動作に伴って発射機構部から伝達される振動や、補助レール部を通過する遊技球による振動などが作用しても、補助レール部の傾き角が変化するようなことがなく、長期間にわたって安定した球飛びを維持することができる。
【図面の簡単な説明】
【図１】本発明に係る発射角度調整機構を備えた弾球遊技機の一例として示すパチンコ機の正面図である。
【図２】第１実施例の発射角度調整機構の正面図である。
【図３】ケースカバーを取り外した状態で斜め前方から見た第１実施例の発射角度調整機構の斜視図である。
【図４】図２中のＩＶ−ＩＶ矢視の側断面図である。
【図５】第１実施例の発射角度調整機構の平面図である。
【図６】図２中のＶＩ−ＶＩ矢視の平断面図である。
【図７】第１実施例の発射角度調整機構の作用を説明するための正面図である。
【図８】第１実施例の発射角度調整機構の変更例を示す正面図である。
【図９】図８中のＩＸ−ＩＸ矢視の平断面図である。
【図１０】第２実施例の発射角度調整機構の正面図である。
【図１１】ケースカバーを取り外した状態で斜め前方から見た第２実施例の発射角度調整機構の斜視図である。
【図１２】ケースカバーを取り外した状態で左側方から見た第２実施例の発射角度調整機構の側面図である。
【図１３】第２実施例の発射角度調整機構の平面図である。
【図１４】第２実施例の発射角度調整機構におけるガイド部材と傾角調整レバーとの関係を示す平断面図である。
【図１５】第２実施例の発射角度調整機構の作用を説明するための正面図である。
【図１６】第２実施例の発射角度調整機構の作用を説明するための正面図である。
【符号の説明】
ＢＨ  発射球
ＰＡ  遊技領域
ＰＭ  パチンコ機
１  外枠
２  前枠（２ａ  収容枠）
４  施錠装置
５  ガラス扉
６  上球皿
７  下球皿
８  発射ハンドル
１０  遊技補助盤
１１  ケースカバー
１２  飛送ガイド
１３  ファール球回収口
１４  ファール球回収通路
１５  ガード壁
１６  工具挿通孔
１７  傾角設定窓
２０  遊技球発射装置
２１  発射機構
２３  発射レール
２４  支持ブロック
３０  遊技盤
３１  化粧板
３２  内レール
３３  案内レール
３４  発射通路
３５  入賞具
３６  画像表示装置
３７  アウト口
１００  発射角度調整機構（第１実施例）
１１０  ガイド部材
１１０Ａ  リアベース
１１０Ｂ  センタープレート
１１０Ｃ  フロントチップ
１１１（１１１ａ，１１１ｂ）  本体部
１１２（１１２ａ，１１２ｂ）  軸受孔
１１３  補助レール部
１１４  サイドレール（１１４ａ  突出片、１１４ｂ  傾斜面）
１１５（１１５ｂ，１１５ｃ）  係止突起
１１６ａ  位置決め突起
１１６ｂ  ベース嵌合孔
１１６ｈ  ネジ挿通孔
１１６ｎ  ネジ孔
１１７  指標
１１８ｂ  チップ嵌合孔
１１８ｃ  位置決め突起
１１８ｈ  ネジ挿通孔
１１８ｍ  操作つまみ部
１１８ｎ  ネジ孔
１２０  ガイド部材支持ボス
１２８  支持ネジ
１３０  傾角設定構造
１３１  傾角設定フレーム
１３２  ガード壁
１３３  ガイド支持部
１３４  固定フランジ
１３５  傾角設定溝
１３７  傾角目盛り
１３８  係止ネジ
１３９  固定ネジ
１５０  発射角度調整機構（第１実施例の変更例）
１６０  ガイド部材
１６１  本体部
１６５  傾角設定溝
１８１  傾角設定フレーム
１８３  ガイド支持部（１８３ｂ  ネジボス）
１８８  係止ネジ
２００  発射角度調整機構（第２実施例）
２１０  ガイド部材
２１１  本体部
２１２  軸受孔
２１３  補助レール部
２１４  サイドレール（２１４ａ  突出片、２１４ｂ  傾斜面）
２１５  ラック部
２２０  ガイド部材支持ボス
２２１  調整部材支持ボス
２２５  傾角設定穴
２２８  支持ネジ
２３０  傾角設定構造
２３１  傾角調整レバー
２３２  軸受部
２３３  操作レバー部
２３５  ピニオン部
２３８  係止ネジ
【図１】
2005021285.tif 000003
【図２】
2005021285.tif 000004
【図３】
2005021285.tif 000005
【図４】
2005021285.tif 000006
【図５】
2005021285.tif 000007
【図６】
2005021285.tif 000008
【図７】
2005021285.tif 000009
【図８】
2005021285.tif 000010
【図９】
2005021285.tif 000011
【図１０】
2005021285.tif 000012
【図１１】
2005021285.tif 000013
【図１２】
2005021285.tif 000014
【図１３】
2005021285.tif 000015
【図１４】
2005021285.tif 000016
【図１５】
2005021285.tif 000017
【図１６】
2005021285.tif 000018